(57)【要約】【課題】衣類の乾燥状態を精度高く推定し、未乾燥、過剰乾燥運転を防ぎ、適切に乾燥運転を行うことを目的とする。【解決手段】浴室１内の空気を排気する換気用送風機３と、浴室１内の空気を循環する循環用送風機６と、浴室１内の空気を暖める加熱手段９と、温度・湿度検出手段１０とを備え、温度・湿度検出手段１０により一定時間ごとに検出される検出温度および検出湿度から、浴室１内の雰囲気の全熱量と絶対湿度を算出し、前記全熱量から乾燥対象である衣類周囲の雰囲気の絶対湿度を推測し、浴室１内の雰囲気の絶対湿度と前記衣類周囲の雰囲気の絶対湿度との差により算出した前記衣類の乾燥速度に応じて、換気用送風機３、循環用送風機６、または加熱手段９を制御する浴室換気乾燥機を構成する。【選択図】図１
2006094926.tif 000002
【特許請求の範囲】
【請求項１】
浴室内の空気を排気する換気送風手段と、浴室内の空気を循環する循環送風手段と、浴室内の空気を暖める加熱手段と、浴室内の温度および湿度を検出する検出手段とを備え、衣類の乾燥を行う浴室換気乾燥機であって、前記検出手段により一定時間ごとに検出される検出温度および検出湿度から、浴室内の雰囲気の全熱量と絶対湿度を算出し、前記全熱量から乾燥対象である衣類周囲の雰囲気の絶対湿度を推測し、前記浴室内の雰囲気の絶対湿度と前記衣類周囲の雰囲気の絶対湿度との差により算出した前記衣類の乾燥速度に応じて、前記換気送風手段、前記循環送風手段、または前記加熱手段を制御することを特徴とする浴室換気乾燥機。
【請求項２】
浴室外の温湿度環境を検知する検出素子を設け、前記検出素子で衣類乾燥運転時に一定期間ごとに検出される前記浴室外の温湿度環境から、換気運転を行うことにより予測される乾燥速度と現状の乾燥速度が良化するかを判断することにより、換気送風手段の制御を行うことを特徴とする請求項１に記載の浴室換気乾燥機。
【請求項３】
乾燥状態にするために放出させるべき衣類の水分量である完了乾燥度をあらかじめ保持し、一定期間ごとに前記検出手段により検出した浴室内の温湿度環境から算出した乾燥速度とこれまでの衣類乾燥運転の運転時間履歴による積分結果を乾燥度として算出し、前記完了乾燥度とその時々の運転経過時の乾燥度を一定期間ごとに比較し、前記乾燥度が前記完了乾燥度以上と判断した場合には、衣類乾燥運転の停止制御を行うことを特徴とする請求項１または２に記載の浴室換気乾燥機。
【請求項４】
前記検出手段により検出した浴室内の温湿度環境から算出された前記乾燥速度と乾燥運転時間履歴による積分結果から得られた衣類の現状の乾燥度と、前記完了乾燥度との比較から乾燥終了を判断し、乾燥運転を停止した場合に、使用者に衣類乾燥運転の終了を報知することを特徴とする請求項３に記載の浴室換気乾燥機。
【請求項５】
前記検出手段により検出した浴室内の温湿度環境から算出された前記乾燥速度と乾燥運転時間履歴による積分結果から得られた衣類の現状の乾燥度と、前記完了乾燥度との比較から、使用者に現状の乾燥程度を報知することを特徴とする請求項３または４に記載の浴室換気乾燥機。
【請求項６】
前記検出手段により検出した浴室内の温湿度環境から算出された前記乾燥速度と乾燥運転時間履歴による積分結果から得られた衣類の現状の乾燥度と、前記完了乾燥度との比較から、衣類の乾燥終了までの必要な乾燥運転時間を算出し使用者に乾燥終了までの必要残時間を報知することを特徴とする請求項３、４、または５に記載の浴室換気乾燥機。
【請求項７】
前記換気送風手段、前記循環送風手段、および前記加熱手段を制御する短時間型乾燥運転と、前記加熱手段の出力を小さくし衣類乾燥運転を行う省エネ型衣類乾燥運転とを選択可能なスイッチを設けたことを特徴とする請求項１〜６のいずれかに記載の浴室換気乾燥機。
【請求項８】
前記衣類の乾燥速度に応じて前記換気送風手段、前記循環送風手段、または前記加熱手段を制御する自動衣類乾燥運転、または前記換気送風手段、前記循環送風手段、もしくは前記加熱手段の運転時間を指定できる手動衣類乾燥運転のいずれかを選択可能なスイッチを設けたことを特徴とする請求項１〜７のいずれかに記載の浴室換気乾燥機。
【請求項９】
前記完了乾燥度を変更可能なスイッチを設けたことを特徴とする請求項３に記載の浴室換気乾燥機。
【請求項１０】
あらかじめ設定された初期の浴室内環境から予測される最短乾燥運転時間よりも長い乾燥運転時間を使用者が設定可能とし、前記検出手段により検出した浴室内の温湿度環境から算出される乾燥速度、および衣類の乾燥終了までの必要な乾燥運転の残時間から、換気送風手段、循環送風手段、および加熱手段の通電を通常の衣類乾燥運転時よりも小さい通電量で行い使用者の設定する乾燥運転時間内に終了し運転停止することを特徴とする請求項３に記載の浴室換気乾燥機。
【請求項１１】
乾燥運転初期の浴室内の環境および乾燥運転時間を記憶することのできる記憶手段を設け、あらかじめ設定された最短乾燥運転時間と実際の最短乾燥運転時間に差異が生じた場合、前記記憶手段に記憶されている初期浴室内環境に対する最短乾燥運転時間を更新することを特徴とする請求項３に記載の浴室換気乾燥機。
【請求項１２】
乾燥終了と判断し衣類乾燥運転を停止したのちに、換気送風手段、循環送風手段、または加熱手段の通電を再度制御することにより浴室内環境の適切な湿度状態を維持することを特徴とする請求項３に記載の浴室換気乾燥機。
【請求項１３】
浴室内の空気を排気する換気送風手段と、浴室内の空気を循環する循環送風手段と、浴室内の空気を暖める加熱手段と、浴室内の温度および湿度を検出する検出手段とを使用する浴室内の衣類の乾燥方法であって、一定期間ごとに前記検出手段により検出した浴室内の温湿度環境から算出する乾燥速度とこれまでの衣類乾燥運転の運転時間履歴による積分結果を乾燥度として算出し、あらかじめ保持した、乾燥状態にするために放出させるべき衣類の水分量である完了乾燥度とその時々の運転経過時の乾燥度を一定期間ごとに比較し、前記乾燥度が前記完了乾燥度以上であると判断されると、衣類乾燥運転の停止を行う衣類の乾燥方法。
【発明の詳細な説明】
【技術分野】
【０００１】
本発明は、主に一般家庭における浴室内の暖房、換気、および室内もしくは室内に干した洗濯物の乾燥に使用される浴室換気乾燥機および衣類の乾燥方法に関する。
【背景技術】
【０００２】
地域によっては冬場の気候は非常に湿度が高くなり、衣類の室外干しによる乾かしが難しく、さらに近年、生活スタイルの変化に伴い、時間を問わずに洗濯物を室内にて乾かしたいという要望が多くなり、浴室を洗濯物の乾燥の場所として利用する浴室換気乾燥機が普及している。
【０００３】
この種の浴室換気乾燥機は、既に種々発明されているが、室内空気があらかじめ設定された、あるいは、使用者が選択した所定の相対湿度に至った場合、また、間欠運転前後の相対湿度変化量を検出し所定の変化量以下に至った場合、さらに、間欠運転の運転中と運転後の相対湿度変化量を検出し所定の変化量以下に至った場合、において、換気乾燥運転を停止するものが知られている（例えば、特許文献１、２）。
【０００４】
また、乾燥終了の判断後、循環送風を継続しその期間中の絶対湿度変化を検出し停止期間中の湿度変化量の比から乾燥終了か乾燥運転再開かの判断を行い、この動作を繰り返すものがあった。（例えば、特許文献３）
【特許文献１】特開平１０−９９５９７号公報
【特許文献２】特開平４−２４０４９５号公報
【特許文献３】特開２００２−２２１３８８号公報
【発明の開示】
【発明が解決しようとする課題】
【０００５】
このような従来の浴室換気乾燥機では、あらかじめ設定された相対湿度の所定値、あるいは絶対湿度の変位量によって衣類の乾燥状態を判断する場合、気候、天候などの環境の変化や、浴室内空間の大きさ、浴室の材質等によって乾燥終了の判断に大きく影響を及ぼしやすいものであった。また、乾燥終了を判断した後も間欠運転を繰り返し乾燥終了の判定を多くすることで、天候、気候などの環境変化により運転を停止できないという問題も想定された。
【０００６】
さらに、乾燥運転中に常に換気を継続していることから、給気される空気の状態によっては乾燥終了の判断に影響する場合や、気候や天候によっては、衣類乾燥に適さない環境になり、必要以上に乾燥終了までの時間がかかりすぎるという問題もあった。
【０００７】
本発明は、上記課題を解決するもので、気候、天候等の環境変化に柔軟に対応し、室内空間の大きさ、室内を形成する材質の違いに影響されずに衣類の乾燥状態を精度高く推定し、未乾燥、過剰乾燥運転を防ぎ、適切に乾燥運転を行うことを目的とする。
【課題を解決するための手段】
【０００８】
上記課題を解決するために本発明の浴室換気乾燥機は、浴室内の空気を排気する換気送風手段と、浴室内の空気を循環する循環送風手段と、浴室内の空気を暖める加熱手段と、浴室内の温度および湿度を検出する検出手段とを備え、衣類の乾燥を行う浴室換気乾燥機であって、前記検出手段により一定時間ごとに検出される検出温度および検出湿度から、浴室内の雰囲気の全熱量と絶対湿度を算出し、前記全熱量から乾燥対象である衣類周囲の雰囲気の絶対湿度を推測し、前記浴室内の雰囲気の絶対湿度と前記衣類周囲の雰囲気の絶対湿度との差により算出した前記衣類の乾燥速度に応じて、前記換気送風手段、前記循環送風手段、または前記加熱手段を制御することを特徴とする。
【０００９】
また本発明の浴室換気乾燥機は、浴室外の温湿度環境を検出する検出素子を設け、前記検出素子で衣類乾燥運転時に一定期間ごとに検出される前記浴室外の温湿度環境から、換気運転を行うことにより予測される乾燥速度と現状の乾燥速度が良化するかを判断することにより、換気送風手段の制御を行うことを特徴とする。
【００１０】
また本発明の浴室換気乾燥機は、乾燥状態にするために放出させるべき衣類の水分量である完了乾燥度をあらかじめ保持し、一定期間ごとに前記検出手段により検出した浴室内の温湿度環境から算出した乾燥速度とこれまでの衣類乾燥運転の運転時間履歴による積分結果を乾燥度として算出し、前記完了乾燥度とその時々の運転経過時の乾燥度を一定期間ごとに比較し、前記乾燥度が前記完了乾燥度以上と判断した場合には、衣類乾燥運転の停止制御を行うことを特徴とする。
【００１１】
また本発明の浴室換気乾燥機は、前記検出手段により検出した浴室内の温湿度環境から算出された前記乾燥速度と乾燥運転時間履歴による積分結果から得られた衣類の現状の乾燥度と、前記完了乾燥度との比較から乾燥終了を判断し、乾燥運転を停止した場合に、使用者に衣類乾燥運転の終了を報知することを特徴とする。
【００１２】
また本発明の浴室換気乾燥機は、前記検出手段により検出した浴室内の温湿度環境から算出された前記乾燥速度と乾燥運転時間履歴による積分結果から得られた衣類の現状の乾燥度と、前記完了乾燥度との比較から、使用者に現状の乾燥程度を報知することを特徴とする。
【００１３】
また本発明の浴室換気乾燥機は、前記検出手段により検出した浴室内の温湿度環境から算出された前記乾燥速度と乾燥運転時間履歴による積分結果から得られた衣類の現状の乾燥度と、前記完了乾燥度との比較から、衣類の乾燥終了までの必要な乾燥運転時間を算出し使用者に乾燥終了までの必要残時間を報知することを特徴とする。
【００１４】
また本発明の浴室換気乾燥機は、前記換気送風手段、前記循環送風手段、および前記加熱手段を制御する短時間型乾燥運転と、前記加熱手段の出力を小さくし衣類乾燥運転を行う省エネ型衣類乾燥運転とを選択可能なスイッチを設けたことを特徴とする。
【００１５】
また本発明の浴室換気乾燥機は、前記衣類の乾燥速度に応じて前記換気送風手段、前記循環送風手段、または前記加熱手段を制御する自動衣類乾燥運転、または前記換気送風手段、前記循環送風手段、もしくは前記加熱手段の運転時間を指定できる手動衣類乾燥運転のいずれかを選択可能なスイッチを設けたことを特徴とする。
【００１６】
また本発明の浴室換気乾燥機は、完了乾燥度を変更可能なスイッチを設けたことを特徴とする。
【００１７】
また本発明の浴室換気乾燥機は、あらかじめ設定された初期の浴室内環境から予測される最短乾燥運転時間よりも長い乾燥運転時間を使用者が設定可能とし、前記検出手段により検出した浴室内の温湿度環境から算出される乾燥速度、および衣類の乾燥終了までの必要な乾燥運転の残時間から、換気送風手段、循環送風手段、および加熱手段の通電を通常の衣類乾燥運転時よりも小さい通電量で行い使用者の設定する乾燥運転時間内に終了し運転停止することを特徴とする。
【００１８】
また本発明の浴室換気乾燥機は、乾燥運転初期の浴室内の環境および乾燥運転時間を記憶することのできる記憶手段を設け、あらかじめ設定された最短乾燥運転時間と実際の最短乾燥運転時間に差異が生じた場合、前記記憶手段に記憶されている初期浴室内環境に対する最短乾燥運転時間を更新することを特徴とする。
また本発明の浴室換気乾燥機は、乾燥終了と判断し衣類乾燥運転を停止したのちに、換気送風手段、循環送風手段、または加熱手段の通電を再度制御することにより浴室内環境の適切な湿度状態を維持することを特徴とする。
【００１９】
本発明の衣類の乾燥方法は、浴室内の空気を排気する換気送風手段と、浴室内の空気を循環する循環送風手段と、浴室内の空気を暖める加熱手段と、浴室内の温度および湿度を検出する検出手段とを使用する浴室内の衣類の乾燥方法であって、一定期間ごとに前記検出手段により検出した浴室内の温湿度環境から算出する乾燥速度とこれまでの衣類乾燥運転の運転時間履歴による積分結果を乾燥度として算出し、あらかじめ保持した、乾燥状態にするために放出させるべき衣類の水分量である完了乾燥度とその時々の運転経過時の乾燥度を一定期間ごとに比較し、前記乾燥度が前記完了乾燥度以上であると判断されると、衣類乾燥運転の停止を行うものである。
【発明の効果】
【００２０】
以上のように本発明の浴室換気乾燥機によれば、気候、天候等の環境変化に柔軟に対応し、室内空間の大きさ、室内を形成する材質の違いに影響されずに衣類の乾燥状態を精度高く推定し、衣類乾燥を促進する室内環境を生成して未乾燥、過剰乾燥運転を防ぎ、適切な乾燥運転を行うことができる。
【発明を実施するための最良の形態】
【００２１】
請求項１記載の浴室換気乾燥機の発明は、検出手段により一定時間ごとに検出される検出温度および検出湿度から、浴室内の雰囲気の全熱量と絶対湿度を算出し、前記全熱量から乾燥対象である衣類周囲の雰囲気の絶対湿度を推測し、前記浴室内の雰囲気の絶対湿度と前記衣類周囲の雰囲気の絶対湿度との差により算出した前記衣類の乾燥速度に応じて、前記換気送風手段、前記循環送風手段、または前記加熱手段を制御することを特徴とするものであり、衣類から放出される水分による室内絶対湿度の増加、また気候、天候から影響を受ける室外雰囲気環境の変化に対応し、それぞれの環境を衣類乾燥に対して改善させるために、前記換気送風手段、前記循環送風手段、または前記加熱手段を適切に制御することにより、衣類乾燥を促進する室内環境を生成することができる。
【００２２】
請求項２記載の発明は、請求項１に記載の浴室換気乾燥機において、浴室外の温湿度環境を検出する検出素子で衣類乾燥運転時に一定期間ごとに検出される前記浴室外の温湿度環境から、換気運転を行うことにより予測される乾燥速度と現状の乾燥速度が良化するかを判断することにより、換気送風手段の制御を行うことを特徴とするものであり、浴室内の空気環境を最良の衣類乾燥状態にするように換気量が制御されることにより、衣類の乾燥時間をより効果的に、精度良く短縮することができる。
【００２３】
請求項３記載の発明は、請求項１または２に記載の浴室換気乾燥機において、乾燥状態にするために放出させるべき衣類の水分量である完了乾燥度をあらかじめ保持し、一定期間ごとに前記検出手段により検出した浴室内の温湿度環境から算出した乾燥速度とこれまでの衣類乾燥運転の運転時間履歴による積分結果を乾燥度として算出し、前記完了乾燥度とその時々の運転経過時の乾燥度を一定期間ごとに比較し、前記乾燥度が前記完了乾燥度以上と判断した場合には、衣類乾燥運転の停止制御を行うことを特徴とするものであり、過剰な乾燥運転が継続されることなく、衣類の乾燥状態を適切に判断するので、より信頼性の高い乾燥運転終了処理を行うことができる。
【００２４】
請求項４記載の発明は、請求項３に記載の浴室換気乾燥機において、浴室内の温湿度環境から算出された前記乾燥速度と乾燥運転時間履歴による積分結果から得られた衣類の現状の乾燥度と、前記完了乾燥度との比較から乾燥終了を判断し、乾燥運転を停止した場合に、使用者に衣類乾燥運転の終了を報知することを特徴とするものであり、使用者は衣類の乾燥終了を意識することなく報知されることから、乾燥終了後、浴室への衣類の放置を防止することができる。
【００２５】
請求項５記載の発明は、請求項３または４に記載の浴室換気乾燥機において、浴室内の温湿度環境から算出された前記乾燥速度と乾燥運転時間履歴による積分結果から得られた衣類の現状の乾燥度と、前記完了乾燥度との比較から、使用者に現状の乾燥程度を報知することを特徴とするものであり、使用者は衣類に直接触れてその乾燥状態を確かめることなく、簡単に衣類の状態を認識することができる。
【００２６】
請求項６記載の発明は、請求項３、４、または５に記載の浴室換気乾燥機において、浴室内の温湿度環境から算出された前記乾燥速度と乾燥運転時間履歴による積分結果から得られた衣類の現状の乾燥度と、前記完了乾燥度との比較から、衣類の乾燥終了までの必要な乾燥運転時間を算出し使用者に乾燥終了までの必要残時間を報知することを特徴とするものであり、使用者は乾燥終了時間の予定を想定することができ、使用者にとって使い勝手の良い浴室用換気乾燥機が得られる。
【００２７】
請求項７記載の発明は、請求項１〜６のいずれかに記載の浴室換気乾燥機において、短時間型乾燥運転と、加熱手段の出力を小さくし衣類乾燥運転を行う省エネ型衣類乾燥運転とを選択可能なスイッチを設けたことを特徴とするものであり、使用者は、好みや必要に応じて短時間型乾燥運転、省エネ型衣類乾燥運転のいずれかを選択することにより、衣類の乾燥にかかる時間とランニングコストを選択する幅を広げることができる。
請求項８記載の発明は、請求項１〜７のいずれかに記載の浴室換気乾燥機において、前記衣類の乾燥速度に応じて前記換気送風手段、前記循環送風手段、または前記加熱手段を制御する自動衣類乾燥運転、または前記換気送風手段、前記循環送風手段、もしくは前記加熱手段の運転時間を指定できる手動衣類乾燥運転のいずれかを選択可能なスイッチを設けたことを特徴とするものであり、使用者は、好みや必要に応じて自動衣類乾燥運転、手動衣類乾燥運転のいずれかを選択することにより、使用者は衣類の乾燥にかかる時間と衣類の乾燥にかかるランニングコストを選択する幅を広げることができる。
【００２８】
請求項９記載の発明は、請求項３に記載の浴室換気乾燥機において、前記完了乾燥度を変更可能なスイッチを設けたことを特徴とするものであり、洗濯させたい衣類の量に応じて前記完了乾燥度を変更することにより、信頼性の高い乾燥運転終了処理を行うことができる。
【００２９】
請求項１０記載の発明は、請求項３に記載の浴室換気乾燥機において、あらかじめ設定された初期の浴室内環境から予測される最短乾燥運転時間よりも長い乾燥運転時間を使用者が設定可能とし、浴室内の温湿度環境から算出される乾燥速度、および衣類の乾燥終了までの必要な乾燥運転の残時間から、換気送風手段、循環送風手段、および加熱手段の通電を通常の衣類乾燥運転時よりも小さい通電量で行い使用者の設定する乾燥運転時間内に終了し運転停止することを特徴とするものであり、使用者の使い勝手や生活スタイルなどの好みに応じて、衣類の乾燥を低ランニングコストで終了させることができる。
【００３０】
請求項１１記載の発明は、請求項３に記載の浴室換気乾燥機において、乾燥運転初期の浴室内の環境および乾燥運転時間を記憶することのできる記憶手段を設け、あらかじめ設定された最短乾燥運転時間と実際の最短乾燥運転時間に差異が生じた場合、前記記憶手段に記憶されている初期浴室内環境に対する最短乾燥運転時間を更新することを特徴とするものであり、使用環境に合わせたより精度の高い自動乾燥運転と使用者への情報報知ができる浴室換気乾燥機が実現できる。
【００３１】
請求項１２記載の発明は、請求項３に記載の浴室換気乾燥機において、乾燥終了と判断し衣類乾燥運転を停止したのちに、換気送風手段、循環送風手段、または加熱手段の通電を再度制御することにより浴室内環境の適切な湿度状態を維持することを特徴とするものであり、乾燥運転中に温風を受けることにより温度が上昇した衣類自体の温度状態を雰囲気になじませ、また雰囲気の状態も常温常湿に保つことにより、衣類の水分再吸着を防ぐことができる。
【００３２】
請求項１３記載の衣類の乾燥方法の発明は、浴室内の空気を排気する換気送風手段と、浴室内の空気を循環する循環送風手段と、浴室内の空気を暖める加熱手段と、浴室内の温度および湿度を検出する検出手段とを使用する浴室内の衣類の乾燥方法であって、一定期間ごとに前記検出手段により検出した浴室内の温湿度環境から算出する乾燥速度とこれまでの衣類乾燥運転の運転時間履歴による積分結果を乾燥度として算出し、あらかじめ保持した、乾燥状態にするために放出させるべき衣類の水分量である完了乾燥度とその時々の運転経過時の乾燥度を一定期間ごとに比較し、前記乾燥度が前記完了乾燥度以上であると判断されると、衣類乾燥運転の停止を行うものであり、過剰な乾燥運転が継続されることなく、衣類の乾燥状態を適切に判断するので、より信頼性の高い乾燥運転終了処理を行うことができる。
【００３３】
以下、本発明の実施の形態について図１〜図６を参照しながら説明する。
【００３４】
（実施の形態１）
図１に示すように、浴室１の天井裏面に浴室換気乾燥機本体２を配置し、浴室換気乾燥機本体２内には、浴室１と連通する換気用吸込み口４から室外と連通する換気用吐出口５へと浴室内空気を強制的に排気する換気送風手段としての換気用送風機３と、浴室内空気を浴室１と連通する循環用吸込み口７から浴室１に連通する循環用吐出し口８へと循環させる循環送風手段としての循環用送風機６と、循環用空気を加熱するために浴室換気乾燥機本体２内の循環空気通風路に設けられた加熱手段９とが構成されている。加熱手段９としてはハロゲンヒーター、シーズヒーター、ＰＴＣヒータなどが用いられる。
【００３５】
浴室換気乾燥機本体２内には、循環用送風機６の浴室内空気の吸込口に配設されて、浴室１内の空気の温度・湿度を検出する検出手段としての温度・湿度検出手段１０と、換気用送風機３、循環用送風機６、および加熱手段９の通電制御、および温度・湿度検出手段１０により得られた温度・湿度データを演算処理する制御部１１とが設けられている。浴室１外から浴室換気乾燥機本体２の運転を設定するために浴室１の内部または外部の壁に設けられた操作部１２には、浴室１外の温度・湿度を検出するための温度・湿度検出手段１３と、運転操作を行うための操作スイッチ１４と、運転状態を表示できる表示手段１５とが備えられている。制御部１１は操作部１２から温度・湿度検出手段１３、操作スイッチ１４、表示手段１５の入力信号を受け、入力処理および出力処理を行う。浴室１内には洗濯物干しバーなどから釣り下げられた衣類等の被乾燥物１６が設けられ、浴室１の出入りのための浴室ドア１７には浴室の内外が連通する給気口１８が設けられている。
【００３６】
上記構成において、主要な動作を図２を用いて説明する。衣類乾燥運転をスタートすると、衣類乾燥運転が開始されＳＴＥＰ１で周辺空気温度Ｔｒ、周辺空気湿度Ｈｒを検出し、ＳＴＥＰ２で検出結果から完了乾燥度Ｄｘを決定する。完了乾燥度Ｄｘは制御部１１に記録された図４に示すテーブルから求められる。完了乾燥度Ｄｘは放出されるべき衣類の水分量であるが、周辺空気温湿度から判断される理由として、種々の乾燥検証から、雰囲気環境により乾燥経過中であっても温風空気の多くあたる場所での水分の再吸着が考えられるため、より精度高く乾燥完了の判断をするために、完了乾燥度を雰囲気環境に対応し、数種類設定することとしている。ＳＴＥＰ３で一定期間ごとの測定間隔（１分）を設定する。ＳＴＥＰ４からＳＴＥＰ６では温度・湿度検出手段１０により浴室１内の周辺空気温度Ｔｒ、浴室１内の周辺空気湿度Ｈｒを検出し、温度・湿度検出手段１３により浴室１外の周辺空気温度Ｔｏ、浴室１外の周辺空気湿度Ｈｏを検出判断し、Ｔｒ、Ｈｒ、Ｔｏ、Ｈｏの検出ごとに周辺空気の全熱量Ｉｒ、Ｉｏと絶対湿度Ｘｒ、Ｘｏ、また全熱量Ｉｒから衣類近傍に相当する空気の絶対湿度Ｘｃを制御部１１において算出する。
【００３７】
ここで、周辺空気絶対湿度と、衣類近傍に相当する空気の絶対湿度の差が大きくなると、衣類内水分の雰囲気空気への移行速度が大きくなる現象をふまえ、空気線図上で検討をおこなう。図３において、一般的な雰囲気空気をＡの空気状態とおくと、この空気で全熱量が変化しない状態は等エンタルピー状態となる。衣類乾燥中の衣類近傍に相当する空気の絶対湿度は湿度１００％の状態になっていることから、先に求めたＡの等エンタルピー線上のＢの空気状態と推測できる。よって、ＳＴＥＰ４において衣類近傍に相当する空気は乾燥過程のため湿度１００％と推測できるとし、ＳＴＥＰ３で求めた雰囲気空気の全熱量Ｉｒから衣類近傍に相当する空気の絶対湿度Ｘｃが算出できる。ＳＴＥＰ５でＸｃとＸｒから制御部１１は乾燥速度Ｔｔ、Ｔｔｏを乾燥係数αを用いて（式１）より算出する。
【００３８】
【数１】
2006094926.tif 000003
【００３９】
【数２】
2006094926.tif 000004
【００４０】
乾燥速度Ｔｔを空気線図上で説明すると、図３の絶対湿度差Ｃに比例し、絶対湿度差Ｃが大となると衣類に含まれる水分の周辺空気への移行速度が大きくなる。さらに、浴室１外の空気が仮に被乾燥物の暴露されている環境と仮定した場合の乾燥速度Ｔｔｏも（式２）により算出する。乾燥度、および乾燥完了判断の処理については制御部１１の演算処理に多大な負担とならないように、これらの値を求める演算処理部分をあらかじめプログラム作成時に行い、周辺空気温度Ｔｒ、周辺空気湿度Ｈｒを区分分けし、制御部１１のメモリに設定することで、周辺空気温度Ｔｒ、周辺空気湿度Ｈｒから直接的に乾燥速度算出手段２３は図５に示す設定テーブルから該当する乾燥速度Ｔｔを得ることができ、また、現時点での乾燥速度から、より乾燥を促進させるため換気用送風機３、循環用送風機６、加熱手段９を駆動制御し浴室１内の雰囲気の推定される移行先乾燥度Ｔｔの想定も容易に行うことができる。
【００４１】
ここで、算出されたＴｔから衣類乾燥を促進させるための換気用送風機３、循環用送風機６、加熱手段９を駆動する制御方法について説明する。前回算出された乾燥速度をＴｔ’とした場合、図６に示した雰囲気環境の変化が想定できる。この図６の設定テーブルはあらかじめ制御部１１に設定されており、乾燥速度Ｔｔの検出ごとに前回検出の乾燥速度Ｔｔとの比較を行い、図６について設定された条件と比較判断し換気用送風機３、循環用送風機６、加熱手段９の駆動制御の判断を行う。ここで、図６はあくまで一例であり、前回の運転内容においても考慮される必要があり、また、後述されるように、浴室外に設けた温度・湿度検出手段１３の検出値においても駆動制御の内容を変える必要がある。また、頻繁な運転切替が起こる可能性もあることから、前回検出の乾燥速度Ｔｔ’との比較判断はある程度期間を設けることも必要になる。
【００４２】
ＳＴＥＰ８で浴室１内の乾燥速度Ｔｔ、浴室１外の乾燥速度Ｔｔｏを比較し、Ｔｔ＞Ｔｔｏであれば浴室１外の空気が浴室１内の空気より衣類乾燥に適していると判断し、換気用送風機３の運転を行い、浴室１内の空気を換気用吸込み口４から室外と連通する換気用吐出口５へと強制的に排気し、浴室ドア１７に設けられた給気口１８から給気を行い浴室１内の空気の衣類乾燥に対する改善を行う。また、Ｔｔ≦Ｔｔｏであれば、浴室１内の空気が浴室１外の空気より衣類乾燥に適していると判断し、換気用送風機３の運転を停止する。ＳＴＥＰ１１では一定期間毎（１分毎）に算出された乾燥速度Ｔｔを制御部１１で加算処理を行う。この加算処理した∫Ｔｔが乾燥運転開始からの衣類の乾燥度として計算される。ＳＴＥＰ１２ではＳＴＥＰ１１で得た乾燥度（加算処理された乾燥速度）∫ＴｔとＳＴＥＰ２で設定した完了乾燥度Ｄｘを比較し、ＳＴＥＰ１３で∫Ｔｔ＜ＤｘであればＳＴＥＰ４に戻り、温度・湿度検出手段１０により浴室１内の周辺空気温度Ｔｒ、周辺空気湿度Ｈｒを検出し、温度・湿度検出手段１３により浴室１外周辺空気の温度Ｔｏ、湿度Ｈｏを検出判断することを再度繰り返す。この際、完了乾燥度Ｄｘに対する乾燥度∫Ｔｔの割合Ｄｘｒは（式３）から算出できる。これは、衣類の乾燥程度をあらわすもので操作部１２の表示手段１５に表示する。
【００４３】
【数３】
2006094926.tif 000005
【００４４】
さらに、比較判断に使用した乾燥度Ｔｔを継続した場合、完了乾燥度Ｄｘに至るまでの必要積算回数も（式４）により算出される、これは乾燥完了までの残時間表示となり操作部１２の表示手段１５に表示される。
【００４５】
【数４】
2006094926.tif 000006
【００４６】
また、∫Ｔｔ≧ＤｘであればＳＴＥＰ１５に移行し衣類の乾燥完了と判断し衣類乾燥運転を終了し、ＳＴＥＰ１６に移動し操作部１２に設けられた発音体を鳴動する。
【００４７】
以上のように、常に周辺空気絶対湿度Ｘｒと衣類近傍に相当する空気の絶対湿度Ｘｃの差に比例する乾燥速度Ｔｔを制御部１１で算出し、得られた乾燥速度Ｔｔの結果に基づき、制御部１１は換気用送風機３、循環用送風機６、加熱手段９の駆動制御を行い適正な衣類乾燥運転を行うことができる。さらに、浴室１外の空気の乾燥速度Ｔｔｏを得ることにより、より精度の高い駆動制御も可能となる。
【００４８】
また、運転開始時、加熱手段９の通電を操作部１２の操作スイッチ１４のいずれかで選択する構成とした場合、制御部１１は加熱手段９が通電可の設定の場合、乾燥速度の加熱方向への移行を考慮した雰囲気の改善を想定した換気用送風機３、および加熱手段９の駆動制御を行い、加熱手段９が通電不可の設定の場合、換気用送風機３の駆動制御を行い乾燥速度の改善を行う。また、換気用送風機３、循環用送風機６、加熱手段９、運転時間をそれぞれ設定できるスイッチ類を操作スイッチ１４に設け、運転開始時に設定入力された場合、設定された駆動制御を行う。この場合にも、前述したフローチャート図に従い完了乾燥度Ｄｘの設定、乾燥度∫Ｔｔの算出を行い乾燥程度Ｄｘｒ等が得られるものとする。
【００４９】
また、制御部１１は図３に示す完了乾燥度Ｄｘを衣類量にあわせ何種類かを記憶し、操作部１２の操作スイッチ１４により設定された完了乾燥度表を用いてＳＴＥＰ２での完了乾燥度Ｄｘの設定を行う。
【００５０】
また、標準的な衣類乾燥の検証結果から得られた、種々の初期雰囲気状態による最短の乾燥運転時間Ｏｔ（ｍｉｎ）を制御部１１はあらかじめ初期乾燥度に応じて記憶し、ＳＴＥＰ１で周辺空気温度Ｔｒ、周辺空気湿度Ｈｒを検出しＳＴＥＰ２の完了乾燥度Ｄｘの設定時に環境に応じた最短乾燥運転時間Ｏｔ（ｍｉｎ）を報知する。その際操作部１２の操作スイッチ１４により最短運転時間Ｏｔ（ｍｉｎ）以上の運転時間Ｏｔの設定を可能にし、運転時間Ｏｔ設定があった場合、設定された時間で乾燥運転を終了するための平均乾燥速度Ｔｔ（ａｖｅ）を算出する（式４）。このＴｔ（ａｖｅ）は定期的にＳＴＥＰ７でＴｔが算出される毎に更新される（式５）。
【００５１】
【数５】
2006094926.tif 000007
【００５２】
【数６】
2006094926.tif 000008
【００５３】
この平均乾燥速度Ｔｔ（ａｖｅ）が得られる浴室１内の環境を生成するため換気用送風機３、循環用送風機６、加熱手段９の駆動制御を行う。この最短乾燥運転時間Ｏｔ（ｍｉｎ）は実際の乾燥運転を繰り返すことにより、ＳＴＥＰ１で得られたそれぞれの初期状態に応じて最短乾燥運転時間Ｏｔ（ｍｉｎ）を更新する。
【００５４】
さらに、ＳＴＥＰ１５にて乾燥運転を終了した後、循環用送風機６は駆動を継続し、ＳＴＥＰ２で完了乾燥度Ｄｘを設定したと同様に、乾燥衣類による空気中の水分の再吸着が起こりにくい浴室１内の雰囲気環境である基準雰囲気Ｅｘを設定する。このＥｘは前述した室内雰囲気から導かれる乾燥速度の設定テーブル（図５）を用いて設定される。またＳＴＥＰ３〜ＳＴＥＰ７と同様に周辺空気温度Ｔｒ、周辺空気湿度Ｈｒから乾燥速度Ｔｔを算出する。この乾燥速度Ｔｔは、乾燥終了後は水分の再吸着難易度Ｅｔとする。このＥｔも前述した室内雰囲気から導かれる乾燥速度の設定テーブル（図５）を用いて設定される。次に、基準雰囲気Ｅｘと水分再吸着難易度Ｅｔとを比較し難易度が大なる（Ｅｘ＜Ｅｔ）ときは循環用送風機６のみの駆動継続を行い、難易度が小なる（Ｅｘ＞Ｅｔ）ときは換気用送風機３、加熱手段９の駆動を行う。この際、制御部１１はＳＴＥＰ８と同様に温度・湿度検出手段１３により検出された浴室１外の周辺空気温度Ｔｏ、浴室１外の周辺空気湿度Ｈｏにより換気用送風機３の駆動が必要性の判断を行う。この動作を繰り返すことで乾燥衣類の水分の再吸着の防止を図ることが可能となる。さらに、この運転の継続時間をあらかじめ設定すること、使用者が設定できるスイッチを操作部１２の操作スイッチ１４に設けることも可能である。また、基準雰囲気Ｅｘと水分の再吸着難易度Ｅｔとを比較し難易度が大なる（Ｅｘ＜Ｅｔ）である場合は、全運転を停止し、定期的に循環用送風機６を駆動し浴室１内の雰囲気の状態を検出し水分の再吸着難易度Ｅｔの判断を行い、運転仕様を決定することも可能である。
【００５５】
このように制御することで、乾燥運転中に温風を受けることにより温度が上昇した衣類自体の温度状態を雰囲気になじませ、また雰囲気の状態も常温常湿に保つことにより、衣類の水分再吸着を防ぐことができる。
【産業上の利用可能性】
【００５６】
本発明にかかる浴室換気乾燥機および衣類の乾燥方法は、適切な乾燥終了の推定を行うだけでなく、衣類乾燥にかかるランニングコストを抑えて乾燥効率を向上させるものであり、浴室以外の乾燥室などを利用して衣類の乾燥を行うのに有用である。
【図面の簡単な説明】
【００５７】
【図１】本発明の実施の形態１における浴室換気乾燥機と浴室の関係を示す断面図
【図２】同浴室換気乾燥機の衣類乾燥運転の動作を示すフローチャート
【図３】同浴室換気乾燥機の衣類乾燥における空気状態を示した空気線図
【図４】同浴室換気乾燥機に記録された完了乾燥度Ｄｘを示すテーブル図
【図５】同浴室換気乾燥機において室内雰囲気から導かれる乾燥速度の設定テーブル図
【図６】同浴室換気乾燥機の制御部に記憶されているパターン別の設定テーブル図
【符号の説明】
【００５８】
１  浴室
２  浴室換気乾燥機本体
３  換気用送風機
６  循環用送風機
９  加熱手段
１０  温度・湿度検出手段
１１  制御部
１２  操作部
１３  温度・湿度検出手段
１６  被乾燥物
【図１】
2006094926.tif 000009
【図２】
2006094926.tif 000010
【図３】
2006094926.tif 000011
【図４】
2006094926.tif 000012
【図５】
2006094926.tif 000013
【図６】
2006094926.tif 000014